(57)【要約】【課題】強入力の干渉波のような高い雑音レベルの干渉波が一緒に入力されているか否かを確実に検出し、検出した結果を基づいて各受信ゲインの閉ループ制御を実施することによって、耐干渉性の向上が可能な無線受信装置を提供する。【解決手段】無線受信周波数減衰器７、無線受信周波数ミキサ９、無線１次中間周波数減衰器６、無線中間周波数ミキサ８、無線１次中間周波数減衰器５および無線中間周波数検出部３を少なくとも備え、無線中間周波数検出部３にて検出した無線２次中間周波数信号の信号レベルに基づいて、無線受信周波数減衰器７、無線１次中間周波数減衰器６、無線２次中間周波数減衰器５それぞれの減衰量を適切な量に設定するための受信ゲイン閉ループ制御を行う無線受信装置において、無線受信周波数ミキサ９に対して入力される無線受信信号の信号レベルを検出する無線受信周波数検出部４を無線受信周波数ミキサ９の入力側の直前に接続してなる。【選択図】        図１
2014199967.tif 000002
【特許請求の範囲】
【請求項１】
無線受信信号の信号レベルを可変に設定可能な減衰量にて減衰する無線受信周波数減衰器と、前記無線受信信号をローカル発振信号と合成して無線中間周波数信号に変換するミキサと、前記無線中間周波数信号の信号レベルを可変に設定可能な減衰量にて減衰する無線中間周波数減衰器と、前記無線中間周波数減衰器から次段の回路に出力する前記無線中間周波数信号の信号レベルを検出する無線中間周波数検出部とを少なくとも備え、前記無線中間周波数検出部にて検出した前記無線中間周波数信号の信号レベルに基づいて、前記無線受信周波数減衰器および前記無線中間周波数減衰器それぞれの減衰量を適切な量に設定するための受信ゲイン閉ループ制御を行う無線受信装置において、前記ミキサに対して入力される前記無線受信信号の信号レベルを検出する無線受信周波数検出部を前記ミキサの入力側の直前に接続してなることを特徴とする無線受信装置。
【請求項２】
前記受信ゲイン閉ループ制御を行った時点において前記無線中間周波数検出部にて検出した前記無線中間周波数信号の信号レベルと前記無線受信周波数減衰器および前記無線中間周波数減衰器それぞれに設定されていた減衰量とに基づいて、前記無線受信周波数減衰器から出力される前記無線受信信号の信号レベルを算出し、算出した前記無線受信信号の信号レベルと前記無線受信周波数検出部にて検出した前記無線受信信号の信号レベルとの両者の差が、あらかじめ定めた差分閾値以上になっている場合、前記無線受信周波数減衰器の減衰量をあらかじめ定めた所定低減量だけさらに追加して設定し、かつ、前記無線中間周波数減衰器の減衰量を前記所定低減量に相当する量だけ逆に少なく設定することを特徴とする請求項１に記載の無線受信装置。
【請求項３】
算出した前記無線受信信号の信号レベルと前記無線受信周波数検出部にて検出した前記無線受信信号の信号レベルとの両者の差が前記差分閾値以上になり、前記無線受信周波数減衰器および前記無線中間周波数減衰器の減衰量を前記所定低減量だけ増減させた際に、前記無線中間周波数検出部にて検出した前記無線中間周波数信号の信号レベルに基づいて受信ゲイン閉ループ制御を行い、前記無線中間周波数信号の信号レベルが所望の基準レベルになるように、前記無線受信周波数減衰器および前記無線中間周波数減衰器それぞれの減衰量を微調整することを特徴とする請求項２に記載の無線受信装置。
【請求項４】
前記無線中間周波数信号の信号レベルが所望の基準レベルになるように、前記無線受信周波数減衰器および前記無線中間周波数減衰器それぞれの減衰量を微調整するための受信ゲイン閉ループ制御を繰り返した繰り返し回数が、あらかじめ定めた回数閾値以上になった場合、何らかの故障が発生したものと判定することを特徴とする請求項３に記載の無線受信装置。
【請求項５】
故障が発生したものと判定した時点において前記無線中間周波数検出部にて検出した前記無線中間周波数信号の信号レベルと前記無線受信周波数減衰器および前記無線中間周波数減衰器それぞれに設定されていた減衰量とに基づいて、前記無線受信周波数減衰器から出力される前記無線受信信号の信号レベルを算出し、算出した前記無線受信信号の信号レベルと前記無線受信周波数検出部にて検出した前記無線受信信号の信号レベルとの両者の差が、あらかじめ定めた故障判定用差分閾値以上になっている場合には、前記ミキサが故障している可能性が高いものと判定し、一方、両者の差が前記故障判定用差分閾値よりも少なかった場合には、前記無線中間周波数減衰器あるいは該無線１次中間周波数減衰器の前段または後段に接続されている増幅器のいずれかが故障している可能性が高いものと判定することを特徴とする請求項４に記載の無線受信装置。
【請求項６】
無線受信信号の信号レベルを可変に設定可能な減衰量にて減衰する無線受信周波数減衰器と、前記無線受信信号をローカル発振信号と合成して無線中間周波数信号に変換するミキサと、前記無線中間周波数信号の信号レベルを可変に設定可能な減衰量にて減衰する無線中間周波数減衰器と、前記無線中間周波数減衰器から次段の回路に出力する前記無線中間周波数信号の信号レベルを検出する無線中間周波数検出部とを少なくとも備え、前記無線中間周波数検出部にて検出した前記無線中間周波数信号の信号レベルに基づいて、前記無線受信周波数減衰器および前記無線中間周波数減衰器それぞれの減衰量を適切な量に設定するための受信ゲイン閉ループ制御を行う無線受信装置における無線受信制御方法であって、前記ミキサに対して入力される前記無線受信信号の信号レベルを検出する無線受信周波数検出部を前記ミキサの入力側の直前に接続してなり、前記受信ゲイン閉ループ制御を行った時点において前記無線中間周波数検出部にて検出した前記無線中間周波数信号の信号レベルと前記無線受信周波数減衰器および前記無線中間周波数減衰器それぞれに設定されていた減衰量とに基づいて、前記無線受信周波数減衰器から出力される前記無線受信信号の信号レベルを算出し、算出した前記無線受信信号の信号レベルと前記無線受信周波数検出部にて検出した前記無線受信信号の信号レベルとの両者の差が、あらかじめ定めた差分閾値以上になっている場合、前記無線受信周波数減衰器の減衰量をあらかじめ定めた所定低減量だけさらに追加して設定し、かつ、前記無線中間周波数減衰器の減衰量を前記所定低減量に相当する量だけ逆に少なく設定することを特徴とする無線受信制御方法。
【請求項７】
算出した前記無線受信信号の信号レベルと前記無線受信周波数検出部にて検出した前記無線受信信号の信号レベルとの両者の差が前記差分閾値以上になり、前記無線受信周波数減衰器および前記無線中間周波数減衰器の減衰量を前記所定低減量だけ増減させた際に、前記無線中間周波数検出部にて検出した前記無線中間周波数信号の信号レベルに基づいて受信ゲイン閉ループ制御を行い、前記無線中間周波数信号の信号レベルが所望の基準レベルになるように、前記無線受信周波数減衰器および前記無線中間周波数減衰器それぞれの減衰量を微調整することを特徴とする請求項６に記載の無線受信制御方法。
【請求項８】
前記無線中間周波数信号の信号レベルが所望の基準レベルになるように、前記無線受信周波数減衰器および前記無線中間周波数減衰器それぞれの減衰量を微調整するための受信ゲイン閉ループ制御を繰り返した繰り返し回数が、あらかじめ定めた回数閾値以上になった場合、何らかの故障が発生したものと判定することを特徴とする請求項７に記載の無線受信制御方法。
【請求項９】
故障が発生したものと判定した時点において前記無線中間周波数検出部にて検出した前記無線中間周波数信号の信号レベルと前記無線受信周波数減衰器および前記無線中間周波数減衰器それぞれに設定されていた減衰量とに基づいて、前記無線受信周波数減衰器から出力される前記無線受信信号の信号レベルを算出し、算出した前記無線受信信号の信号レベルと前記無線受信周波数検出部にて検出した前記無線受信信号の信号レベルとの両者の差が、あらかじめ定めた故障判定用差分閾値以上になっている場合には、前記ミキサが故障している可能性が高いものと判定し、一方、両者の差が前記故障判定用差分閾値よりも少なかった場合には、前記無線中間周波数減衰器あるいは該無線１次中間周波数減衰器の前段または後段に接続されている増幅器のいずれかが故障している可能性が高いものと判定することを特徴とする請求項８に記載の無線受信制御方法。
【請求項１０】
請求項６ないし９のいずれかに記載の無線受信制御方法を、コンピュータによって実行可能なプログラムとして実施していることを特徴とする無線受信制御プログラム。
【発明の詳細な説明】
【技術分野】
【０００１】
本発明は、無線受信装置、無線受信制御方法および無線受信制御プログラムに関し、特に、強入力(Maximum  Input  Level)の干渉波のような高い雑音レベルの干渉波の入力を確実に検出し、検出した結果を基づいて各受信ゲインの閉ループ制御を実施することによって、耐干渉性の向上が可能な無線受信装置、無線受信制御方法および無線受信制御プログラムに関する。
【背景技術】
【０００２】
近年、無線通信システムにおいて、多値変調化か進み、最低受信感度の受信レベルが上がる傾向にある。従来の無線受信装置の構成を図５に、また、従来の受信ゲインの閉ループ制御を、図６のフローチャートを参照して説明する。図５は、従来の無線受信装置のブロック構成を示すブロック構成図であり、図６は、図５の無線受信装置における受信ゲインの閉ループ制御方法を説明するフローチャートである。
【０００３】
図５に示す無線受信装置は、例えば、特許文献１の特開２０１０−１０３５９４号公報「無線受信回路」にも記載されているように、全体を制御するマイクロコントローラ（マイコン）１０２、無線中間周波数検出部（ＲＸ−ＩＦ  ＤＥＴ）１０３、無線２次中間周波数減衰器（ＲＸ  ２ｎｄ  ＩＦ  ＡＴＴ）１０５、無線１次中間周波数減衰器（ＲＸ  １ｓｔ  ＩＦ  ＡＴＴ）１０６、無線受信周波数減衰器（ＲＸ−ＲＦ  ＡＴＴ）１０７、無線中間周波数ミキサ（ＲＸ−ＩＦ  Ｍｉｘｅｒ）１０８、無線受信周波数ミキサ（ＲＸ−ＲＦ  Ｍｉｘｅｒ）１０９、低雑音増幅器（Low  Noise  Amplifier：ＬＮＡ）１１０を少なくとも備えて構成されている。通常の無線受信装置においては、次段のＡＤ(Analog  to  Digital)コンバータやデジタル復調部等の次段の回路へ入力される無線信号の信号レベルを調整するために、無線受信装置の最終的な出力である無線２次中間周波数信号の信号レベルを監視する無線中間周波数検出部１０３を備えることが主流であり、図５の無線受信装置においても、無線中間周波数検出部１０３が検出した無線２次中間周波数信号の信号レベルに基づいて、マイクロコントローラ１０２からの制御により、無線２次中間周波数減衰器１０５、無線１次中間周波数減衰器１０６、無線受信周波数減衰器１０７の各減衰器の減衰量を可変に設定することが可能な構成とされている。
【０００４】
図５に示す無線受信装置において、受信した無線信号は、低雑音増幅器１１０および無線受信周波数減衰器１０７を介して信号レベルを適宜調整された後、無線受信周波数ミキサ１０９にてＰＬＬ（Phase  Locked  Loop）からのローカル発振信号と合成されて、無線１次中間周波数信号として生成される。しかる後、生成された無線１次中間周波数信号はベースバンドフィルタを介して無線１次中間周波数減衰器１０６に入力されて、無線１次中間周波数信号の信号レベルが調整される。信号レベルが調整された無線１次中間周波数信号は、無線中間周波数ミキサ１０８にてＰＬＬ（Phase  Locked  Loop）からのローカル発振信号と合成されて、無線２次中間周波数信号として生成される。生成された無線２次中間周波数信号はベースバンドフィルタを介して無線２次中間周波数減衰器１０５に入力されて、無線２次中間周波数信号の信号レベルが調整された後、次段の回路に対して最終的に出力されるとともに、最終的に出力される無線２次中間周波数信号の信号レベルを検出するために無線中間周波数検出部１０３に対しても出力される。
【０００５】
無線中間周波数検出部１０３は、無線２次中間周波数減衰器１０６から出力されてくる無線２次中間周波数信号の信号レベルを検出して、マイクロコントローラ１０２に対して送信する。マイクロコントローラ１０２は、無線中間周波数検出部１０３からの無線２次中間周波数信号の信号レベルを受け取り、該無線２次中間周波数信号の信号レベルがあらかじめ設定されている基準レベルに一致するように、ＡＧＣ（Automatic  Gain  Control）制御を行い、無線受信周波数減衰器１０７、無線１次中間周波数減衰器１０６、無線２次中間周波数減衰器１０５それぞれの減衰量を可変に制御する。かくのごとく、無線中間周波数検出部１０３が検出した無線２次中間周波数信号の信号レベルに基づいて、無線受信周波数減衰器１０７、無線１次中間周波数減衰器１０６、無線２次中間周波数減衰器１０５それぞれの受信ゲインを所望の値に設定する閉ループ制御が実施される。
【０００６】
つまり、図６のフローチャートに示すように、マイクロコントローラ１０２は、無線中間周波数検出部１０３から出力されてくる無線２次中間周波数信号の信号レベルを常時監視して、該無線２次中間周波数信号の信号レベルがＡＧＣ制御により、あらかじめ定めた所望の基準レベルになっているか否かをチェックしている（ステップＳ３１）。無線２次中間周波数信号の信号レベルが基準レベルになっている場合には（ステップＳ３１のＹｅｓ）、そのまま、監視状態を継続する。
【０００７】
一方、無線２次中間周波数信号の信号レベルが基準レベルになっていなかった場合には（ステップＳ３１のＮｏ）、無線受信周波数減衰器１０７、無線１次中間周波数減衰器１０６、無線２次中間周波数減衰器１０５それぞれの減衰量を設定し直す制御信号を出力して、各受信ゲインを可変に制御する（ステップＳ３２）。かくのごとき動作を、無線２次中間周波数信号の信号レベルが所望の基準レベルに達するまで繰り返す。この結果、無線中間周波数検出部１０３から出力されてくる無線２次中間周波数信号の信号レベルすなわち無線２次中間周波数減衰器１０５から次段の回路に対して出力される無線２次中間周波数信号の信号レベルを所望の基準レベルになるように閉ループ制御することができる。
【先行技術文献】
【特許文献】
【０００８】
【特許文献１】特開２０１０−１０３５９４号公報（第６−７頁）
【発明の開示】
【発明が解決しようとする課題】
【０００９】
しかしながら、図５に示したような従来の無線受信装置においては、次のような課題がある。
【００１０】
第１の課題は、各受信ゲインの閉ループ制御を実施するマイクロコントローラ１０２は、低雑音増幅器１１０および無線受信周波数減衰器１０７を介して無線受信周波数ミキサ１０９に対して入力されてくる無線受信信号の信号レベルを把握することができない構成になっているため、無線受信信号とともに強入力(Maximum  Input  Level)の干渉波のような高い雑音レベルの干渉波も一緒に入力されて、無線受信周波数ミキサ１０９から出力される無線１次中間周波数信号に歪みが発生しているか否かを予測することができないということである。
【００１１】
第２の課題は、無線受信周波数ミキサ１０９から出力される無線１次中間周波数信号に歪みが発生しているか否かを予測することができないため、強入力(Maximum  Input  Level)の干渉波のような高い雑音レベルの干渉波も一緒に入力されてしまう事態が発生した場合には、無線受信信号のＳＮ（Signal-to-Noise  Ratio）比を劣化させてしまう恐れがあるということである。
【００１２】
特に、ＥＳＴＩ(European  Telecommunications  Standards  Institute)のＣＷ（Continuous  Wave：無変調連続波）干渉に関する規格においては、最低受信感度の受信レベルよりも３０ｄＢも高いＣＷを入力するという試験内容が規定されているため、かくのごとき強入力(Maximum  Input  Level)の干渉試験用ＣＷが無線受信周波数ミキサ１０９に入力された場合には、無線受信周波数ミキサ１０９が飽和してしまい、無線受信周波数ミキサ１０９から出力される無線１次中間周波数信号に歪みが発生してしまう。その結果、マイクロコントローラ１０２による各受信ゲインの閉ループ制御として、干渉試験用ＣＷの影響を受けて、適切な受信ゲインの制御が実施できなくなる。
【００１３】
ここで、干渉試験用ＣＷの影響を除去して干渉耐力を向上させるための新たな構成部品を、無線受信装置内に単純に追加しようとしても、新たな構成部品の追加のみにとどまらず、各受信部分のレベルダイヤグラムを細かく設計して、それぞれの受信部分が、あらかじめ設計した受信レベルになるように、無線受信装置１台ごとに個別にチューニングしなければならなくなり、構成部品の追加コストの他にチューニングコストも増加し、簡単には対策することができないという問題がある。
【００１４】
（本発明の目的）
本発明は、かかる課題に鑑みてなされたものであり、強入力(Maximum  Input  Level)の干渉波のような高い雑音レベルの干渉波が一緒に入力されているか否かを確実に検出して、検出した結果を基づいて各受信ゲインの閉ループ制御を実施することによって、ＳＮ比の劣化を防止し、耐干渉性の向上を図ることが可能な無線受信装置、無線受信制御方法および無線受信制御プログラムを提供することを、その目的としている。
【課題を解決するための手段】
【００１５】
前述の課題を解決するため、本発明による無線受信装置、無線受信制御方法および無線受信制御プログラムは、主に、次のような特徴的な構成を採用している。
【００１６】
（１）本発明による無線受信装置は、無線受信信号の信号レベルを可変に設定可能な減衰量にて減衰する無線受信周波数減衰器と、前記無線受信信号をローカル発振信号と合成して無線中間周波数信号に変換するミキサと、前記無線中間周波数信号の信号レベルを可変に設定可能な減衰量にて減衰する無線中間周波数減衰器と、前記無線２次中間周波数減衰器から次段の回路に出力する前記無線中間周波数信号の信号レベルを検出する無線中間周波数検出部とを少なくとも備え、前記無線中間周波数検出部にて検出した前記無線中間周波数信号の信号レベルに基づいて、前記無線受信周波数減衰器および前記無線中間周波数減衰器それぞれの減衰量を適切な量に設定するための受信ゲイン閉ループ制御を行う無線受信装置において、前記ミキサに対して入力される前記無線受信信号の信号レベルを検出する無線受信周波数検出部を前記ミキサの入力側の直前に接続してなることを特徴とする。
【００１７】
（２）本発明による無線受信制御方法は、無線受信信号の信号レベルを可変に設定可能な減衰量にて減衰する無線受信周波数減衰器と、前記無線受信信号をローカル発振信号と合成して無線中間周波数信号に変換するミキサと、前記無線中間周波数信号の信号レベルを可変に設定可能な減衰量にて減衰する無線中間周波数減衰器と、前記無線２次中間周波数減衰器から次段の回路に出力する前記無線中間周波数信号の信号レベルを検出する無線中間周波数検出部とを少なくとも備え、前記無線中間周波数検出部にて検出した前記無線中間周波数信号の信号レベルに基づいて、前記無線受信周波数減衰器および前記無線中間周波数減衰器それぞれの減衰量を適切な量に設定するための受信ゲイン閉ループ制御を行う無線受信装置における無線受信制御方法であって、前記ミキサに対して入力される前記無線受信信号の信号レベルを検出する無線受信周波数検出部を前記ミキサの入力側の直前に接続してなり、前記受信ゲイン閉ループ制御を行った時点において前記無線中間周波数検出部にて検出した前記無線中間周波数信号の信号レベルと前記無線受信周波数減衰器および前記無線中間周波数減衰器それぞれに設定されていた減衰量とに基づいて、前記無線受信周波数減衰器から出力される前記無線受信信号の信号レベルを算出し、算出した前記無線受信信号の信号レベルと前記無線受信周波数検出部にて検出した前記無線受信信号の信号レベルとの両者の差が、あらかじめ定めた差分閾値以上になっている場合、前記無線受信周波数減衰器の減衰量をあらかじめ定めた所定低減量だけさらに追加して設定し、かつ、前記無線中間周波数減衰器の減衰量を前記所定低減量に相当する量だけ逆に少なく設定することを特徴とする。
【００１８】
（３）本発明による無線受信制御プログラムは、少なくとも前記（２）に記載の無線受信制御方法を、コンピュータによって実行可能なプログラムとして実施していることを特徴とする。
【発明の効果】
【００１９】
本発明の無線受信装置、無線受信制御方法および無線受信制御プログラムによれば、以下のような効果を奏することができる。
【００２０】
第１に、無線受信信号を無線中間周波数信号に変換するミキサ（無線受信周波数ミキサ）の入力側の直近に、入力される無線受信信号の信号レベルを検出する無線受信周波数検出部を接続した構成としているので、ミキサ（無線受信周波数ミキサ）に入力される無線受信信号の信号レベルを実測することができ、強入力(Maximum  Input  Level)の干渉波のような高い雑音レベルの干渉波が一緒に入力されて、ミキサ（無線受信周波数ミキサ）から出力される無線中間周波数信号に歪みが発生するか否かを確実に検出することができることである。
【００２１】
第２に、強入力(Maximum  Input  Level)の干渉波のような高い雑音レベルの干渉波が一緒にミキサ（無線受信周波数ミキサ）に入力されることを検出した場合には、無線受信周波数減衰器における減衰量にあらかじめ定めた所定低減量をさらに追加して無線受信信号の信号レベルを減衰させてから、ミキサ（無線受信周波数ミキサ）に入力し、無線中間周波数信号の信号レベルを減衰させる機能を有する無線中間周波数減衰器の減衰量を該所定低減量に相当する量だけ逆に少なくするという、耐干渉性向上用の受信ゲイン閉ループ制御を実施しているので、強入力の干渉波のような高い雑音レベルの干渉波の影響を排除して、各受信ゲインの閉ループ制御を適切に実施することができる状態になり、干渉波に対する耐干渉性を向上させることができる。
【図面の簡単な説明】
【００２２】
【図１】本発明による無線受信装置のブロック構成の一例を示すブロック構成図である。
【図２】図１の無線受信装置における受信ゲインの閉ループ制御の動作の一例を説明するための制御フローチャートである。
【図３】耐干渉性向上のための受信ゲイン閉ループ制御から通常の受信ゲイン閉ループ制御に復帰する動作（すなわち通常受信ゲイン閉ループ制御復帰処理の動作）の一例を説明するための制御フローチャートである。
【図４Ａ】図１の無線受信装置における受信ゲインの閉ループ制御の動作の他の例として、故障診断動作の一例を組み込んだ動作を説明するための制御フローチャート（主要な部分）である。
【図４Ｂ】図１の無線受信装置における受信ゲインの閉ループ制御の動作の他の例として、故障診断動作の一例を組み込んだ動作を説明するための制御フローチャート（図４Ａのフローチャートに接続される部分）である。
【図５】従来の無線受信装置のブロック構成を示すブロック構成図である。
【図６】図５の無線受信装置における受信ゲインの閉ループ制御方法を説明するフローチャートである。
【発明を実施するための形態】
【００２３】
以下、本発明による無線受信装置、無線受信制御方法および無線受信制御プログラムの好適な実施形態について添付図を参照して説明する。なお、以下の説明においては、本発明による無線受信装置および無線受信制御方法について説明するが、かかる無線受信制御方法をコンピュータにより実行可能な無線受信制御プログラムとして実施するようにしても良いし、あるいは、無線受信制御プログラムをコンピュータにより読み取り可能な記録媒体に記録するようにしても良いことは言うまでもない。また、本発明の無線受信装置は、無線信号の受信専用の装置のみならず、無線送受信動作の双方を行う無線送受信装置における無線受信部として用いることも勿論可能である。
【００２４】
（本発明の特徴）
本発明の実施形態の説明に先立って、本発明の特徴についてその概要をまず説明する。本発明は、無線受信装置において、強入力(Maximum  Input  Level)のような高い雑音レベルの干渉波が入力されてくる場合が発生しても、干渉性の向上対策を有する受信ゲインの閉ループ制御を行うことを可能にしていることを主要な特徴としている。
【００２５】
つまり、高い雑音レベルの干渉波が入力されてきたことを確実に検出して、検出した結果に基づいて、無線受信部を構成する各減衰器例えば無線受信周波数減衰器、無線１次中間周波数減衰器、無線２次中間周波数減衰器それぞれの減衰量を設定し直す閉ループ制御を行うことによって、無線受信部の各受信ゲインを変更し、レベルダイヤを見直すことを主要な特徴としており、而して、たとえ、干渉試験用として強入力(Maximum  Input  Level)のＣＷ（Continuous  Wave：無変調連続波）干渉波が無線受信信号と一緒に入力されてくる場合であっても、無線受信周波数ミキサに対して入力される無線信号の信号レベルを適切な入力レベルまで低減させ、該無線受信周波数ミキサからは歪みがない無線１次中間周波数信号を出力することができ、強入力(Maximum  Input  Level)のＣＷ干渉波等の高い雑音レベルの干渉波に対する耐力の向上を図ることを可能にしている。
【００２６】
（実施形態の構成例）
次に、本発明による無線受信装置の装置構成の一例について図１を用いて説明する。図１は、本発明による無線受信装置のブロック構成の一例を示すブロック構成図である。
【００２７】
図１に示す無線受信装置は、図５に示した従来の無線受信装置と同様、全体を制御する制御部を形成するマイクロコントローラ（マイコン）２、無線中間周波数検出部（ＲＸ−ＩＦ  ＤＥＴ）３、無線２次中間周波数減衰器（ＲＸ  ２ｎｄ  ＩＦ  ＡＴＴ）５、無線１次中間周波数減衰器（ＲＸ  １ｓｔ  ＩＦ  ＡＴＴ）６、無線受信周波数減衰器（ＲＸ−ＲＦ  ＡＴＴ）７、無線中間周波数ミキサ（ＲＸ−ＩＦ  Ｍｉｘｅｒ）８、無線受信周波数ミキサ（ＲＸ−ＲＦ  Ｍｉｘｅｒ）９、低雑音増幅器（Low  Noise  Amplifier：ＬＮＡ）１０を少なくとも備えている他に、図５に示した従来の無線受信装置とは異なり、無線受信周波数ミキサ（ＲＸ−ＲＦ  Ｍｉｘｅｒ）９の入力側の近傍に（図１においては、無線受信周波数ミキサ（ＲＸ−ＲＦ  Ｍｉｘｅｒ）９への入力信号線に直接接続する形式で）、無線受信周波数検出部（ＲＸ−ＲＦ  ＤＥＴ）４を追加して備えた構成となっている。
【００２８】
ここで、無線受信周波数検出部４は、無線受信周波数減衰器７から出力されて、無線受信周波数ミキサ９に入力される無線受信周波数信号の信号レベルを検出して、マイクロコントローラ２に対して送信する。また、無線２次中間周波数減衰器５、無線１次中間周波数減衰器６、無線受信周波数減衰器７の各減衰器は、図５の従来の無線受信装置の場合と同様に、マイクロコントローラ２からの制御により減衰量を可変に設定することが可能な構成とされている。
【００２９】
マイクロコントローラ２は、無線中間周波数検出部３からの無線２次中間周波数信号の信号レベルおよび無線受信周波数検出部４からの無線受信周波数信号の信号レベルの双方を受け取り、該無線２次中間周波数信号と該無線受信周波数信号との双方の信号レベルがあらかじめ設定されている所定のレベルに収まるように、ＡＧＣ（Automatic  Gain  Control）制御を行い、無線受信周波数減衰器７、無線１次中間周波数減衰器６、無線２次中間周波数減衰器５それぞれの減衰量を可変に制御する。かくのごとく、無線中間周波数検出部３が検出した無線２次中間周波数信号の信号レベルのみならず、無線受信周波数検出部４が検出した無線受信周波数信号の信号レベルとの双方に基づいて、無線受信周波数減衰器７、無線１次中間周波数減衰器６、無線２次中間周波数減衰器５それぞれの受信ゲインを所望の値に設定する閉ループ制御として、ＡＧＣ(Adaptive  Gain  Control)を実施している。
【００３０】
つまり、図１に示す無線受信装置においては、無線中間周波数検出部３において検出される無線２次中間周波数信号の信号レベルがあらかじめ定めた基準レベルになるように、無線受信周波数減衰器７、無線１次中間周波数減衰器６、無線２次中間周波数減衰器５それぞれの受信ゲインを閉ループ制御によりＡＧＣ(Adaptive  Gain  Control)を実施する。さらに、無線受信周波数ミキサ９の入力側の直近に配置された無線受信周波数検出部４において無線受信周波数ミキサ９に入力される無線受信周波数信号の信号レベルを常時監視して、無線受信周波数ミキサ９が生成する無線１次中間周波数信号に歪みが発生しないように、無線受信周波数減衰器７の受信ゲインを可変に閉ループ制御している。したがって、たとえ、強入力(Maximum  Input  Level)のＣＷ（Continuous  Wave）干渉波のような高い雑音レベルの干渉波が入力されることがあっても、高い雑音レベルの干渉波に対する干渉耐力を向上させることができる。
【００３１】
なお、通常、無線システムとして定義される最低受信感度の性能を充たすために、ＳＮ比(Signal-to-Noise  Ratio)やＮＦ(Noise  Figure)の特性を確保する必要がある。そのためには、無線受信周波数ミキサ９に入力される無線受信周波数信号の信号レベルが適切なレベルに設定されている必要があり、前述のように、無線受信周波数減衰器７の減衰量（アッテネーション量）を調整して、無線受信周波数信号の受信ゲインを可変に設定することが可能な構成とされている。ただし、かくのごとき最低受信感度を確保するための手法ついては、当業者によく知られており、また、本発明とは直接関係しない技術であるので、その詳細な構成についてのここでの説明は省略する。
【００３２】
また、図１に示す無線受信装置は、無線受信周波数ミキサ９、無線中間周波数ミキサ８により、それぞれ、無線１次中間周波数信号、無線２次中間周波数信号と２段階に変換するダブルコンバージョンの構成になっている場合について示しているが、１段階だけで、次段の回路に出力するための最終的な無線中間周波数信号に一挙に変換するシングルコンバージョンの構成としても良い。また、低雑音増幅器１０については、独立に配置する代わりに、無線受信周波数ミキサ９のチップ（Ｃｈｉｐ）内に含まれた構成となっている場合であっても良い。さらには、無線受信装置は、受信専用の装置に限るものではなく、無線信号の送受信動作を司る無線送受信装置における無線受信部として構成されている場合であっても良い。
【００３３】
（実施形態の動作の説明）
次に、図１に示した無線受信装置における受信ゲインの閉ループ制御の動作について、その一例を、図２の制御フローチャートを用いて説明する。図２は、図１の無線受信装置における受信ゲインの閉ループ制御の動作の一例を説明するための制御フローチャートである。
【００３４】
図２の制御フローチャートにおいて、マイクロコントローラ２は、まず、無線中間周波数検出部３から出力されてくる無線２次中間周波数信号の信号レベルを常時監視して、該無線２次中間周波数信号の信号レベルがＡＧＣ制御によりあらかじめ定めた所望の基準レベルになっているか否かをチェックしている（ステップＳ１）。無線２次中間周波数信号の信号レベルが基準レベルになっている場合には（ステップＳ１のＹｅｓ）、そのまま、監視状態を継続する。
【００３５】
一方、無線２次中間周波数信号の信号レベルが基準レベルになっていなかった場合には（ステップＳ１のＮｏ）、無線受信周波数減衰器７、無線１次中間周波数減衰器６、無線２次中間周波数減衰器５それぞれの減衰量を設定し直す制御信号を出力して、各受信ゲインを可変に制御する（ステップＳ２）。かくのごとき閉ループ制御は、無線２次中間周波数信号の信号レベルが所望の基準レベルに達するまで繰り返される。この結果、無線中間周波数検出部３から出力されてくる無線２次中間周波数信号の信号レベルすなわち無線２次中間周波数減衰器５から次段の回路に対して最終的に出力される無線２次中間周波数信号の信号レベルを所望の基準レベルになるように閉ループ制御することができる。ここで、該閉ループ制御は、一般的に良く知られているＡＧＣ制御である。
【００３６】
無線２次中間周波数信号の信号レベルが所望の基準レベルになった場合には、ステップＳ３に移行して、無線中間周波数検出部３における無線２次中間周波数信号の信号レベルと、無線受信周波数減衰器７、無線１次中間周波数減衰器６、無線２次中間周波数減衰器５の各減衰器の減衰量とから、無線受信周波数ミキサ９に対する無線受信信号の信号レベル"ｘ"ｄＢｍを算出する（ステップＳ３）。ここで、図１の無線受信装置は、無線受信周波数減衰器７、無線１次中間周波数減衰器６、無線２次中間周波数減衰器５の各減衰器に設定する減衰量それぞれに対して、無線受信周波数減衰器７、無線１次中間周波数減衰器６、無線２次中間周波数減衰器５それぞれにおいて如何なる受信ゲインが得られるかを、調整用データとして、あらかじめ保有しており、無線受信周波数ミキサ９に対して入力される無線受信信号の信号レベルがどの程度になるかを算出することができる。
【００３７】
しかる後、無線受信周波数検出部４において実際に検出された無線受信信号の信号レベル"ｙ"ｄＢｍと、ステップＳ３において算出された無線受信信号の信号レベル"ｘ"ｄＢｍと、を比較して、両者の差があらかじめ定めた差分閾値"ｚ"ｄＢ以上になっているか否かをチェックする（ステップＳ４）。両者の差が差分閾値"ｚ"ｄＢよりも少なかった場合には（ステップＳ４のＮｏ）、無線受信周波数減衰器７、無線１次中間周波数減衰器６、無線２次中間周波数減衰器５の各減衰器の減衰量のさらなる閉ループ制御は不必要であり、現状の減衰量のままを維持して、監視状態を継続すれば良く、ステップＳ１に復帰する。
【００３８】
これに対して、両者の差が差分閾値"ｚ"ｄＢ以上になっていた場合には（ステップＳ４のＹｅｓ）、強入力(Maximum  Input  Level)のＣＷ（Continuous  Wave）干渉波のような高い雑音レベルの干渉波が入力されているものと判定して、ステップＳ５に移行して、耐干渉性を図るための受信ゲインの変更制御を行う。すなわち、まず、無線受信周波数検出部４において実際に検出された無線受信信号の信号レベル"ｙ"ｄＢｍをあらかじめ定めた所定低減量"ｖ"ｄＢだけ低下させるために、無線受信周波数減衰器７の減衰量をさらに所定低減量"ｖ"ｄＢだけ追加して減衰させて、無線受信周波数検出部４における無線受信信号の信号レベルが"（ｙ−ｖ）"ｄＢｍになるように設定するとともに、無線１次中間周波数減衰器６または無線２次中間周波数減衰器５のいずれかの減衰器の減衰量を逆に所定低減量"ｖ"ｄＢに相当する量だけ少なくするように設定する（ステップＳ５）。
【００３９】
次いで、無線受信周波数減衰器７と無線１次中間周波数減衰器６または無線２次中間周波数減衰器５との各受信ゲインに関して所定低減量"ｖ"ｄＢ分の変更後において、無線中間周波数検出部３にて検出した無線２次中間周波数信号の信号レベルがＡＧＣ制御によりあらかじめ定めた所望の基準レベルになっているか否かを確認する（ステップＳ６）。無線２次中間周波数信号の信号レベルが基準レベルになっている場合には（ステップＳ６のＹｅｓ）、無線受信周波数減衰器７、無線１次中間周波数減衰器６、無線２次中間周波数減衰器５の各減衰器それぞれの減衰量を微調整する必要はない。すなわち、強入力(Maximum  Input  Level)のＣＷ（Continuous  Wave）干渉波のような高い雑音レベルの干渉波が入力された場合の耐干渉性向上のための受信ゲイン閉ループ制御動作への移行が完了し、干渉波の影響を排除して、各受信ゲインの閉ループ制御を適切に実施することができる状態になっているので、次のステップＳ８に移行する。
【００４０】
ステップＳ８においては、強入力(Maximum  Input  Level)のＣＷ（Continuous  Wave）干渉波のような高い雑音レベルの干渉波が入力された場合の耐干渉性向上のための受信ゲイン閉ループ制御動作から、強入力(Maximum  Input  Level)のＣＷ（Continuous  Wave）干渉波のような高い雑音レベルの干渉波が入力されていない場合の通常の受信ゲイン閉ループ制御動作に復帰することが可能な状態になった場合に備えて、通常受信ゲイン閉ループ制御復帰処理を行う（ステップＳ８）。
【００４１】
そして、ステップＳ８の通常受信ゲイン閉ループ制御復帰処理において、通常の受信ゲイン閉ループ制御動作に復帰することが可能な状態になったことを検出すると、耐干渉性向上のための受信ゲイン閉ループ制御動作から脱して、通常の受信ゲイン閉ループ制御動作に復帰する。しかる後、ステップＳ１に戻って、通常の受信ゲイン閉ループ制御動作として、無線中間周波数検出部３における無線２次中間周波数信号の信号レベルを常時監視する状態になる。なお、通常受信ゲイン閉ループ制御復帰処理の動作については、図３の制御フローチャートに示しているが、その詳細は後述する。
【００４２】
一方、無線２次中間周波数信号の信号レベルが基準レベルになっていなかった場合は（ステップＳ６のＮｏ）、無線受信周波数減衰器７、無線１次中間周波数減衰器６、無線２次中間周波数減衰器５の各減衰器それぞれの減衰量を微調整するように、閉ループ制御により各受信ゲインを可変に制御する（ステップＳ７）。かくのごとき閉ループ制御は、無線２次中間周波数信号の信号レベルが所望の基準レベルに達するまで繰り返される。
【００４３】
この結果、無線中間周波数検出部３における無線２次中間周波数信号の信号レベルすなわち無線２次中間周波数減衰器５から次段の回路に対して出力される無線２次中間周波数信号の信号レベルが所望の基準レベルになると（ステップＳ６のＹｅｓ）、強入力(Maximum  Input  Level)のＣＷ（Continuous  Wave）干渉波のような高い雑音レベルの干渉波が入力された場合の耐干渉性向上のための受信ゲイン閉ループ制御への移行が完了し、干渉波の影響を排除して、各受信ゲインの閉ループ制御を適切に実施することができる状態になる。しかる後、通常の受信ゲイン閉ループ制御動作に復帰することが可能な状態になった場合に備えて、ステップＳ８に移行して、通常受信ゲイン閉ループ制御復帰処理を行う（ステップＳ８）。
【００４４】
次に、耐干渉性向上のための受信ゲイン閉ループ制御から通常の受信ゲイン閉ループ制御に復帰する動作について、図３に示す通常受信ゲイン閉ループ制御復帰処理に関する制御フローチャートを用いて説明する。図３は、耐干渉性向上のための受信ゲイン閉ループ制御から通常の受信ゲイン閉ループ制御に復帰する動作（すなわち通常受信ゲイン閉ループ制御復帰処理の動作）の一例を説明するための制御フローチャートである。
【００４５】
強入力(Maximum  Input  Level)のＣＷ（Continuous  Wave）干渉波のような高い雑音レベルの干渉波が入力された状態になって、耐干渉性向上のための受信ゲイン閉ループ制御を実施している状況において、図３の通常受信ゲイン閉ループ制御復帰処理が起動されると、マイクロコントローラ２は、無線受信周波数検出部４にて検出される無線受信信号の信号レベルを、あらかじめ定めた周期で定期的に監視し、該無線受信信号の信号レベルが、通常の受信ゲイン閉ループ制御からの移行時において最初に検出されていた無線受信信号の信号レベル"ｙ"ｄＢｍから耐干渉性向上用として設定した所定低減量"ｖ"ｄＢだけ差し引いた"（ｙ−ｖ）"ｄＢｍの信号レベルから、通常制御状態への復帰判定用としてあらかじめ定めた復帰基準量"ｗ"ｄＢ以上低減したか否かを確認している（ステップＳ１１）。
【００４６】
現在の無線受信信号の信号レベルが、"（ｙ−ｖ）"ｄＢｍからさらに復帰基準量"ｗ"ｄＢ以上低減していなかった場合は（ステップＳ１１のＮｏ）、無線受信周波数検出部４にて検出される無線受信信号の信号レベルを、あらかじめ定めた周期で定期的に監視する処理をして（ステップＳ１２）、ステップＳ１１の動作を繰り返す。
【００４７】
一方、現在の無線受信信号の信号レベルが、"（ｙ−ｖ）"ｄＢｍからさらに復帰基準量"ｗ"ｄＢ以上低減していた場合には（ステップＳ１１のＹｅｓ）、通常の受信ゲイン閉ループ制御への復帰状態に達したものと判定して、無線受信周波数減衰器７の減衰量を所定低減量"ｖ"ｄＢに相当する量だけ少なくなるように設定するとともに、逆に、無線１次中間周波数減衰器６または無線２次中間周波数減衰器５のうち、減衰量を先に所定低減量"ｖ"ｄＢに相当する量だけ少なくするように設定していたいずれかの減衰器の減衰量を所定低減量"ｖ"ｄＢだけ追加して減衰させて、通常受信ゲイン閉ループ制御における減衰量になるように設定する（ステップＳ１３）。
【００４８】
しかる後、無線受信周波数減衰器７と無線１次中間周波数減衰器６または無線２次中間周波数減衰器５との各受信ゲインに関して所定低減量"ｖ"ｄＢ分の変更後において、無線中間周波数検出部３にて検出した無線２次中間周波数信号の信号レベルがＡＧＣ制御によりあらかじめ定めた所望の基準レベルになっているか否かを確認する。確認結果として、無線２次中間周波数信号の信号レベルが基準レベルになっていなかった場合には、無線受信周波数減衰器７、無線１次中間周波数減衰器６、無線２次中間周波数減衰器５の各減衰器それぞれの減衰量を微調整するように、閉ループ制御により各受信ゲインを可変に制御する。かくのごとき閉ループ制御は、無線２次中間周波数信号の信号レベルが所望の基準レベルに達するまで繰り返される。
【００４９】
この結果、無線中間周波数検出部３における無線２次中間周波数信号の信号レベルすなわち無線２次中間周波数減衰器５から次段の回路に対して最終的に出力される無線２次中間周波数信号の信号レベルが所望の基準レベルになると、強入力(Maximum  Input  Level)のＣＷ（Continuous  Wave）干渉波のような高い雑音レベルの干渉波が入力された場合の耐干渉性向上のための受信ゲイン閉ループ制御から脱して、通常の受信ゲイン閉ループ制御への復帰動作が完了したことになる。したがって、図３の通常受信ゲイン閉ループ制御復帰処理を終了して、要求元の処理に復帰する。
【００５０】
（本実施形態の効果の説明）
以上に詳細に説明したように、本実施形態においては、次のような効果が得られる。
【００５１】
第１に、無線受信信号を無線１次中間周波数信号に変換する無線受信周波数ミキサ９の入力側の直近に、入力される無線受信信号の信号レベルを検出する無線受信周波数検出部４を接続した構成としているので、無線受信周波数ミキサ９に入力される無線受信信号の信号レベルを実測することができ、強入力(Maximum  Input  Level)の干渉波のような高い雑音レベルの干渉波が一緒に入力されて、無線受信周波数ミキサ９から出力される無線１次中間周波数信号に歪みが発生するか否かを確実に検出することができることである。
【００５２】
第２に、強入力(Maximum  Input  Level)の干渉波のような高い雑音レベルの干渉波が一緒に入力されることを検出した場合には、無線受信周波数減衰器７における減衰量にあらかじめ定めた所定低減量"ｖ"をさらに追加して無線受信信号の信号レベルを減衰させてから、無線受信周波数ミキサ９に入力し、かつ、無線１次中間周波数信号または無線２次中間周波数信号の信号レベルを減衰させる機能を有する無線１次中間周波数減衰器６または無線２次中間周波数減衰器５のいずれかの減衰器の減衰量を所定低減量"ｖ"ｄＢに相当する量だけ逆に少なくするという、耐干渉性向上用の受信ゲイン閉ループ制御を実施しているので、強入力の干渉波のような高い雑音レベルの干渉波の影響を排除して、各受信ゲインの閉ループ制御を適切に実施することができる状態になり、干渉波に対する耐干渉性を向上させることができる。
【００５３】
（本発明の他の実施形態）
次に、本発明の他の実施形態として、その基本的構成は、前述の実施形態の場合と同様であるが、図１に示す無線受信装置に故障が発生した場合の故障診断動作について、図４Ａおよび図４Ｂの制御フローチャートを用いて説明する。図４および図４Ｂは、図１の無線受信装置における受信ゲインの閉ループ制御の動作の他の例として、故障診断動作の一例を組み込んだ動作を説明するための制御フローチャートであり、ステップＳ１〜Ｓ８については、図２の制御フローチャートの場合と同様であるが、ステップＳ２１〜Ｓ２４の動作を故障診断用として新たに追加して示している。以下には、図２の制御フローチャートと同様のステップＳ１〜Ｓ８の動作に関する繰り返しの説明は割愛して、新たに追加したステップＳ２１〜Ｓ２４の動作について説明する。
【００５４】
図４および図４Ｂに示す制御フローチャートにおいては、ステップＳ６とステップＳ７との受信ゲイン閉ループ制御動作の繰り返し回数を監視する処理をステップＳ７からステップＳ６に戻るルートにステップＳ２１として追加している。すなわち、耐干渉性向上のための受信ゲイン閉ループ制御動作において、ステップＳ６とステップＳ７との受信ゲイン閉ループ制御動作の繰り返し回数Ｔが故障検出用としてあらかじめ設定した回数閾値"ｍ"回に達したか否かを監視する（ステップＳ２１）。受信ゲイン閉ループ制御動作の繰り返し回数Ｔがまだ回数閾値"ｍ"回に達していない場合は（ステップＳ２１のＮｏ）、図２の制御フローチャートの場合と同様、ステップＳ６に戻って、無線中間周波数検出部３が検出した無線２次中間周波数信号の信号レベルがＡＧＣ制御によりあらかじめ定めた所望の基準レベルになっているか否かを確認する動作を繰り返す。
【００５５】
一方、受信ゲイン閉ループ制御動作の繰り返し回数Ｔが回数閾値"ｍ"回以上に達した場合は（ステップＳ２１のＹｅｓ）、無線受信装置に何らかの故障が発生したものと判定して、故障個所を特定する故障診断を行うために、ステップＳ２２に移行する。ステップＳ２２に移行すると、まず、受信ゲイン閉ループ制御動作の繰り返し回数Ｔが回数閾値"ｍ"回になった時点における、無線中間周波数検出部３における無線２次中間周波数信号の信号レベルと、無線受信周波数減衰器７、無線１次中間周波数減衰器６、無線２次中間周波数減衰器５の各減衰器の減衰量とから、無線受信周波数ミキサ９に対する無線受信信号の信号レベル"ｒ"ｄＢｍを算出する。そして、算出された無線受信信号の信号レベル"ｒ"ｄＢｍと、無線受信周波数検出部４において実際に検出された無線受信信号の信号レベル"ｓ"ｄＢｍと、を比較して、両者の差が故障個所判定用としてあらかじめ定めた故障判定用差分閾値"ｕ"ｄＢ以上になっているか否かをチェックする（ステップＳ２２）。
【００５６】
両者の差が故障判定用差分閾値"ｕ"ｄＢ以上になっていた場合には（ステップＳ２２のＹｅｓ）、無線受信周波数ミキサ９、無線中間周波数ミキサ８のいずれかが故障している可能性が高いものと判定する（ステップＳ２３）。一方、両者の差が故障判定用差分閾値"ｕ"ｄＢよりも少なかった場合には（ステップＳ２２のＮｏ）、無線１次中間周波数減衰器６、無線２次中間周波数減衰器５のいずれかかまたは無線１次中間周波数減衰器６、無線２次中間周波数減衰器５の前後段に接続されている無線１次／２次中間周波数信号増幅用の増幅器のいずれかが故障している可能性が高いものと判定する（ステップＳ２４）。
【００５７】
図４および図４Ｂに示す制御フローチャートのように、受信ゲイン閉ループ制御動作の繰り返し回数Ｔが、回数閾値"ｍ"回に達した場合には、無線受信装置に何らかの故障が発生したものと判定して、故障個所を特定するための故障診断を行う動作を直ちに起動するようにしているので、故障部位を迅速に特定することができるという効果を奏することができる。
【００５８】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００５９】
２        マイクロコントローラ（マイコン）
３        無線中間周波数検出部（ＲＸ−ＩＦ  ＤＥＴ）
４        無線受信周波数検出部（ＲＸ−ＲＦ  ＤＥＴ）
５        無線２次中間周波数減衰器（ＲＸ  ２ｎｄ  ＩＦ  ＡＴＴ）
６        無線１次中間周波数減衰器（ＲＸ  １ｓｔ  ＩＦ  ＡＴＴ）
７        無線受信周波数減衰器（ＲＸ−ＲＦ  ＡＴＴ）
８        無線中間周波数ミキサ（ＲＸ−ＩＦ  Ｍｉｘｅｒ）
９        無線受信周波数ミキサ（ＲＸ−ＲＦ  Ｍｉｘｅｒ）
１０      低雑音増幅器（Low  Noise  Amplifier：ＬＮＡ）
１０２    マイクロコントローラ（マイコン）
１０３    無線中間周波数検出部（ＲＸ−ＩＦ  ＤＥＴ）
１０５    無線２次中間周波数減衰器（ＲＸ  ２ｎｄ  ＩＦ  ＡＴＴ）
１０６    無線１次中間周波数減衰器（ＲＸ  １ｓｔ  ＩＦ  ＡＴＴ）
１０７    無線受信周波数減衰器（ＲＸ−ＲＦ  ＡＴＴ）
１０８    無線中間周波数ミキサ（ＲＸ−ＩＦ  Ｍｉｘｅｒ）
１０９    無線受信周波数ミキサ（ＲＸ−ＲＦ  Ｍｉｘｅｒ）
１１０    低雑音増幅器（Low  Noise  Amplifier：ＬＮＡ）
【図１】
2014199967.tif 000003
【図２】
2014199967.tif 000004
【図３】
2014199967.tif 000005
【図４Ａ】
2014199967.tif 000006
【図４Ｂ】
2014199967.tif 000007
【図５】
2014199967.tif 000008
【図６】
2014199967.tif 000009